(57)【要約】      （修正有）【課題】芝地または芝生表面から掃き出された残骸を回収するための芝生掃除機を提供する。【解決手段】フレームに設けられた残骸集積ダクトは、地面上方に間隔が近い状態で支持された吸入開口部と、ホッパー１９入口に連通する排出端における排出開口部とを有し、箒部２８が吸入開口部の近くかつ吸入開口部にわたって残骸集積ダクトの吸入部内に回転可能に設けられている芝生掃除機。【選択図】図２
2020141660.tif 000002
【特許請求の範囲】
【請求項１】
地面上の残骸を回収するために、地面上を移動可能である掃除機であって、
ホッパー入口開口部を有するホッパーと、
前記掃除機が動かされる地面上方に間隔が近い状態で支持された吸入端において吸入開口部を有し、前記残骸集積ダクトの排出端において排出開口部を有する残骸集積ダクトであって、前記残骸集積ダクトは、前記残骸集積ダクトの前記排出端が前記ホッパー入口開口部に位置揃えされ、かつ前記排出開口部が前記ホッパー入口開口部と連通するように前記ホッパーに流体接続されている、残骸集積ダクトと、
ピックアップヘッド軸から半径方向外側に突出する複数のピックアップ部材を有し、前記吸入開口部の近くにある前記残骸集積ダクトの吸入部内に回転可能に設けられた回転ピックアップヘッドであって、前記回転ピックアップヘッドは前記残骸集積ダクトにわたって延びていることにより、前記回転ピックアップヘッドが回転すると前記ピックアップ部材は残骸に接触して地面から残骸集積ダクト内に持ち上げるように位置される、回転ピックアップヘッドと、
パドル軸から半径方向外側に突出し、前記残骸集積ダクトの移送部の内部にわたって回転可能に設けられた複数のパドルを有するパドルロータであって、前記パドルの先端の回転経路は前記ピックアップヘッドの前記ピックアップ部材の先端の回転経路に間隔が近い状態で延びており、前記パドルロータは前記回転ピックアップヘッドと同一方向に回転することにより、前記パドルは前記回転ピックアップヘッドによって持ち上げられた残骸を掻いて前記残骸集積ダクトの前記移送部中へ移送し、前記パドルロータの回転は残骸を前記残骸集積ダクトの前記排出開口部を通って移送させ、前記ホッパー入口開口部を通り前記ホッパー中へと移送させる、パドルロータと、
を備える掃除機。
【請求項２】
前記掃除機は、前記残骸集積ダクトの前記移送部を貫通する帰還空気開口部によって、帰還空気出口を前記ホッパーに流体接続する帰還空気ダクトをさらに備えている、請求項１に記載の掃除機。
【請求項３】
前記帰還空気開口部は前記パドルロータの軸端に位置揃えされている、請求項２に記載の掃除機。
【請求項４】
各パドルの、前記移送部を貫通する前記帰還空気開口部に対向する端部は、前記帰還空気開口部から離れ前記パドル軸に向かう方向に傾斜している、請求項３に記載の掃除機。
【請求項５】
前記ホッパーは、残骸フィルタによって前記ホッパー入口開口部および前記ホッパー内の残骸閉じ込めスペースから分離された帰還空気出口を有し、前記掃除機は、前記残骸集積ダクトの前記移送部を通って前記帰還空気出口を帰還空気開口部に流体接続する帰還空気ダクトをさらに備えている、請求項１に記載の掃除機。
【請求項６】
前記帰還空気開口部は前記パドルロータの軸端に位置揃えされている、請求項５に記載の掃除機。
【請求項７】
前記ホッパーは、少なくとも１つの残骸フィルタによって前記ホッパー入口開口部および前記ホッパー内の残骸閉じ込めスペースから分離された左右の帰還空気出口を有し、前記掃除機は、前記残骸集積ダクトの前記移送部を通って前記ホッパーからの前記左右の帰還空気出口をそれぞれ前記左右の帰還空気開口部に流体接続する左右の帰還空気ダクトをさらに備えている、請求項１に記載の掃除機。
【請求項８】
前記左右の帰還空気開口部は前記パドルロータの左右の軸端に位置揃えされている、請求項７に記載の掃除機。
【請求項９】
各パドルの左右端は、隣接する前記帰還空気開口部から離れ前記パドル軸に向かう方向に傾斜している、請求項８に記載の掃除機。
【請求項１０】
地面の表面上の残骸を回収するために、地面上を移動可能である掃除機であって、
ホッパー入口開口部を有し、少なくとも１つのリフトアームアセンブリによりフレームに接続されたホッパーであって、前記少なくとも１つのリフトアームアセンブリは、前記ホッパーを前記フレームに対して持ち上げ位置と退避位置との間で移動させるように動作可能である、ホッパーと、
前記フレームに接続され、前記掃除機が動かされる地面上方に間隔が近い状態で支持された吸入端において吸入開口部を有し、前記残骸集積ダクトの排出端において排出開口部を有する残骸集積ダクトであって、前記残骸集積ダクトは、前記退避位置において、前記残骸集積ダクトの前記排出端が前記ホッパー入口開口部に位置揃えされ、かつ前記排出開口部が前記ホッパー入口開口部と連通するように前記ホッパーに流体接続されている、残骸集積ダクトと、
箒部軸から半径方向外側に突出する複数のピックアップ部材を有し、前記吸入開口部の近くにある前記残骸集積ダクトの吸入部内に回転可能に設けられた回転ピックアップヘッドであって、前記回転ピックアップヘッドは前記残骸集積ダクトにわたって延びていることにより、前記回転ピックアップヘッドが回転すると前記ピックアップ部材は残骸に接触して前記残骸集積ダクト内に持ち上げるように位置される、回転ピックアップヘッドと、
パドル軸から半径方向外側に突出し、前記残骸集積ダクトの移送部の内部にわたって回転可能に設けられた複数のパドルを有するパドルロータであって、前記パドルの先端の回転経路は前記ピックアップヘッドの前記ピックアップ部材の先端の回転経路に間隔が近い状態で延びており、前記パドルロータは前記回転ピックアップヘッドと同一方向に回転することにより、前記パドルは前記回転ピックアップヘッドによって持ち上げられた残骸を掻いて前記残骸集積ダクトの前記移送部中へ移送し、前記パドルロータの回転は残骸を前記残骸集積ダクトの前記排出開口部を通って移送させ、前記ホッパー入口開口部を通り前記ホッパー中へと移送させる、パドルロータと、
前記残骸集積ダクトの前記移送部を通って前記ホッパーからの帰還空気出口を帰還空気開口部に流体接続させる帰還空気ダクトと、
を備える掃除機。
【請求項１１】
前記帰還空気開口部は前記パドルロータの軸端に位置揃えされている、請求項１０に記載の掃除機。
【請求項１２】
各パドルの、前記移送部を貫通する前記帰還空気開口部に対向する端部は、前記帰還空気開口部から離れ前記パドル軸に向かう方向に傾斜している、請求項１１に記載の掃除機。
【請求項１３】
帰還空気出口は、残骸フィルタによって前記ホッパー入口開口部および前記ホッパー内の残骸閉じ込めスペースから分離されている、請求項１０に記載の掃除機。
【請求項１４】
前記帰還空気出口は、少なくとも１つの残骸フィルタによって前記ホッパー入口開口部および前記ホッパー内の残骸閉じ込めスペースから分離された左右の帰還空気出口を有し、前記帰還空気ダクトは、前記残骸集積ダクトの前記移送部を通って前記ホッパーからの前記左右の帰還空気出口をそれぞれ左右の帰還空気開口部に流体接続する左右の帰還空気ダクトをさらに備えている、請求項１０に記載の掃除機。
【請求項１５】
前記左右の帰還空気開口部は前記パドルロータの左右の軸端に位置揃えされている、請求項１４に記載の掃除機。
【請求項１６】
各パドルの左右端は、隣接する前記帰還空気開口部から離れ前記パドル軸に向かう方向に傾斜している、請求項１５に記載の掃除機。
【発明の詳細な説明】
【技術分野】
【０００１】
（関連出願への相互参照）
本願は、２０１９年２月５日付けで出願された米国仮特許出願第６２／８０１，４３４号に基づく利益を主張するものである。この出願の内容を本願において援用する。
【０００２】
本発明は、芝地または芝生表面から掃き出された残骸を回収するためのホッパーを有する芝生掃除機であって、残骸が機械的にかつ空気流を介して残骸回収ホッパー内に導かれ、この空気流が掃除機内において再循環される、芝生掃除機に関する。
【背景技術】
【０００３】
芝地の残骸を回収するように構成された掃除機が当該分野において公知である。Ｈａｒｐｅｒ  Ｉｎｄｕｓｔｒｉｅｓ，  Ｉｎｃ．を譲受人とする米国特許第７，１９１，４８５号は、芝生上の残骸を回収する真空型掃除機であって、掃除機によって大気中に排出される屑および粒状物の量を減らすための空気再循環システムを有する、真空型掃除機を開示している。この掃除機の自己推進型である実施形態が、米国特許第７，１９１，４８５号に開示され、Ｈａｒｐｅｒ  Ｉｎｄｕｓｔｒｉｅｓ，  Ｉｎｃ．よりＴＶ３５芝生用真空掃除機として販売されている。ブロワーのパワー要求のため、ＴＶ３５芝生用真空掃除機は、４４〜５０馬力定格のエンジンを要求する。掃除機のコストを減少させるために、より低いパワー要求を有する芝生掃除機が依然として必要である。そのような芝生掃除機は、最大２５馬力を生むエンジンを用いたときに効率的に動作するように設計されていることが好ましいであろう。
【発明の概要】
【０００４】
本発明は、回転箒部から残骸集積ダクトを通って取り付けられたホッパー内に残骸を動力学的かつ空気圧的に移送する、パドルロータを有する芝生掃除機に関する。残骸をホッパー中に移送することを助ける加圧空気は、ホッパーの両側部上にある帰還空気出口を通って、ホッパーから排出される。加圧空気は、残骸集積ダクトの両側部に沿って延びる帰還空気ダクトを通って導かれる。帰還空気ダクトは、パドルロータの軸端に隣接して残骸集積ダクトに開口している。パドルロータの回転により、帰還空気が残骸集積ダクト中に引き戻され、そしてパドルロータ上のパドルが、空気を再び残骸集積ダクトを通りホッパーへと移動および再循環させる。
【図面の簡単な説明】
【０００５】
【図１】図１は、自身が推進される地面上方の車輪によって支持されたフレーム上に設けられた、ホッパーおよび残骸集積アセンブリを有する、自己推進型芝生掃除機の斜視図である。
【図２】図２は、図１に示すホッパーおよび残骸集積アセンブリの、一部省略して内部詳細を示す前方左側斜視図である。矢印を付すことにより、残骸が、残骸集積アセンブリ内の回転箒部およびパドルロータによってホッパー中に移送される際の流れの方向および、ホッパーを出て帰還空気ダクトを通ってパドルロータに戻るように導かれる帰還空気の流れの方向を示している。
【図３】図３は、ホッパーおよび残骸集積アセンブリの、一部省略して帰還空気ダクトをより詳細に示す後方左側斜視図である。
【図４】図４は、ホッパーおよび残骸集積アセンブリの、図２の４−４線に略沿った拡大断面図であり、図３の斜視図に対応している。
【図５】図５は、ホッパーおよび残骸集積アセンブリ、図２の５−５線に略沿った拡大断面図である。
【図６】図６は、パドルロータの拡大分解斜視図である。
【図７】図７は、ホッパーの部分的な左側立面図であり、覆い（ｓｈｉｅｌｄｉｎｇ）を取り去ることにより、ホッパーのダンプドアをダンプドアアクチュエータによってホッパーのダンプ開口部に対して閉じた状態に保持するホッパードアラッチ／リフトアセンブリを示している。
【図８】図８は図７と同様な図であり、ダンプドアアクチュエータが部分的に退避され、ダンプドア上のラッチピンに対しての非ラッチ位置にラッチを移動させているが、ダンプドアがダンプ開口部に対して依然として閉じたままの状態を示している。
【図９】図９は図７および８と同様な図であり、ダンプドアアクチュエータが完全に退避され、ダンプドアが、ドアリフトリンク機構およびドアリフトアームによって、ダンプ開口部に対する開位置に持ち上げられた状態を示している。
【図１０】図１０は掃除機の斜視図であり、ホッパーが、ホッパーをフレームに接続するリフトアームによって、残骸集積アセンブリに対して持ち上げられた状態を示している。
【図１１】図１１は、図５と同様な断面図であり、ホッパーが残骸集積アセンブリから分離された状態を示している。
【発明を実施するための形態】
【０００６】
必要のため、本発明の詳細な実施形態を本明細書において開示する。しかし、開示した実施形態は単に本発明の例示であり、本発明は様々な形態で実施可能であることが理解されるべきである。したがって、本明細書において開示される具体的な構造的および機能的な詳細は、限定的であると解釈されるべきではなく、単に請求項の基礎として、また当業者に、本発明を実質的にあるゆる任意の適切な詳細を有する構造において様々に用い得ることを教示するための代表的な土台として、解釈されるべきである。図面は、本明細書の一部をなしており、本発明の例示的な実施形態を包含し、かつその様々な目的および特徴を例示している。
【０００７】
以下の説明において、特定の用語を、言及の便宜上としてのみ用いるが、これは限定ではない。例えば、「上方向」、「下方向」、「右方向」、および「左方向」の語は、これらの言葉が指し示す図面内での方向をいう。「内側」および「外側」の語はそれぞれ、説明している実施形態、およびその中の指定部分、の幾何学的中心に向かう方向と離れる方向とをいう。これら用語とは、具体的に述べた上記の語ならびに、その派生語、および同様な意味の語を含む。
【０００８】
図１を参照し、参照符号１は芝生掃除機を示しているが、これは図示する実施形態においては自己推進型である。本明細書に開示する改良点は、被牽引型の芝生掃除機に導入されてもよいことが理解される。掃除機１は、ゴルフコース、公園、オフィスパーク、ハイウェイ道路用地などに見られるような大きな芝生系表面２から出る、葉、芝地の刈りくず、葺きわら、およびコア通気のためのくり抜きなどの、残骸の回収に用いられるように設計されている。
【０００９】
掃除機１は、前後車輪５および６によって、地面上方に支持されるメインフレームまたはシャーシ３を有している。操作者ステーション７がフレーム３の前方に設けられており、これは運転席８、操舵アセンブリ９および掃除機コントロール群１０を有している。ロールバー１２が運転席８上に延びており、その上に天蓋１３が支持されていてもよい。本明細書において、掃除機１の左側と言うときは、運転席８に座る操作者に関する側について言うのであって、操作者の左側がマシンの左側に対応する。
【００１０】
エンジン１６が、運転席８の後ろかつ残骸集積アセンブリ１８およびホッパー１９（これらもまたフレーム３上に設けられている）の前において、フレーム３上に設けられている。図示の実施形態において、ホッパー１９は、左右のリフトアーム２１および２２によってフレーム３に接続されている。左右のリフトアーム２１および２２は、左右の液圧アクチュエータ２３および２４によって旋回されることにより、ホッパー１９を、残骸集積アセンブリ１８と係合された退避位置と、残骸集積アセンブリ１８から分離されかつフレーム３に対して持ち上げられた伸長位置との間で移動させる。伸長位置において、ホッパー１９の中身はトラックまたはコンテナ（不図示）に投下（ｄｕｍｐ）される。
【００１１】
残骸集積アセンブリ１８は、フレームに接続された残骸集積ダクト２７を有する。残骸集積ダクト２７は、自身の中で回転可能に設けられた回転ピックアップヘッドまたは回転箒部２８と、パドルロータ２９とを有する。吸入開口部３１が残骸集積ダクト２７の吸入端３２に形成されており、吸入端３２は、掃除機１が動かされる地面２上方に間隔が近い状態で支持されている。排出開口部３５が、残骸集積ダクト２７の排出端３６において形成されている。ホッパー１９が退避あるいは集積位置にあるとき、残骸集積ダクト２７はホッパー１９に流体接続（ｆｌｏｗ  ｃｏｎｎｅｃｔ）されて、残骸集積ダクト２７の排出端３６がホッパー１９に形成されたホッパー入口開口部３９に位置揃えされかつこれを囲み、また残骸集積ダクト２７の排出開口部３５がホッパー入口開口部３９と連通するようにされる。
【００１２】
回転箒部２８は、複数の毛またはピックアップ部材４１を有する。複数の毛またはピックアップ部材４１は、残骸集積ダクト２７の吸入部４５（吸入開口部３１の近くにある）内において回転可能に設けられた箒部軸４３から、半径方向外側に突出している。回転箒部２８は、残骸集積ダクト２７にわたって延びており、回転箒部２８が回転すると、毛４１の先端は地面の残骸に接触して残骸集積ダクト２７内に持ち上げるように位置される。回転箒部または回転ピックアップヘッド２８の毛またはピックアップ部材４１は、円柱状または平坦を含む様々な形状である、従来のファイバーストランドもしくはフィラメントまたはゴム製指状突起などの様々な形態を取り得る。
【００１３】
パドルロータ２９は、残骸集積ダクト２７の移送部４９の内部にわたって回転可能に設けられた、パドル軸４８から半径方向外側に突出する複数のパドル４７を有している。本明細書において、パドル軸４８はパドル４７と一体に形成され得、箒部軸４３はピックアップ部材と一体に形成され得ることが理解される（ここで軸４８または４３が、ロータ２９または箒部２８がそれぞれ回転する軸を構成する）。パドル４７の先端の回転経路は、回転箒部２８の毛４１の先端の回転経路に間隔が近い状態で延びている。パドルロータ２９は、回転箒部２８と同一方向に回転することにより、回転箒部２８によって持ち上げられた残骸を、パドル４７が掻いて（ｅｎｇａｇｅ）残骸集積ダクト２７の移送部４９中へ移送する。回転するパドル４７は残骸を掻き、そして残骸集積ダクト２７中を通りホッパー１９中へと、残骸を機械的に持ち上げあるいは投げ入れる。パドルロータ２９は、好ましくは、空気を残骸集積ダクト２７中を押し通すのに十分な速度で回転されることにより、パドルロータ２９の回転が残骸を、残骸集積ダクト２７の排出端３６の排出開口部３５を通り、ホッパー入口開口部３９を通って、ホッパー１９中へと動力学的かつ空気圧的に移送するようにする。
【００１４】
ホッパー１９中へ移送された残骸は、ホッパー１９の底で残骸閉じ込めスペース５１中に落ち着く。左右の帰還空気出口５３および５４がホッパー１９に形成されており、残骸用格子、スクリーンまたはフィルタ５５によって、そのホッパー入口開口部３９および残骸閉じ込めスペース５１から分離されている。残骸集積アセンブリ１８は、残骸集積ダクト２７の移送部４９の左右側に沿って延びる左右の帰還空気ダクト５７および５８を有する。左右の帰還空気開口部６１および６２が、残骸集積ダクト２７の移送部４９を貫通して形成されており、これら左右の帰還空気開口部６１および６２は、パドルロータ２９の左右の軸端６３および６４に対して位置揃えされている。ホッパー１９が退避位置にあるとき、左右の帰還空気ダクト５７および５８は、ホッパー１９の左右の帰還空気出口５３および５４に対して流体接続される。パドル４７の回転によってホッパー１９中へ吹き入れられた空気は、左右の帰還空気出口５３および５４を通ってホッパー１９から出て、左右の帰還空気ダクト５７および５８を通り、左右の帰還空気開口部６１および６２を通って残骸集積ダクト２７の移送部４９へと導かれる。
【００１５】
各パドル４７の左右の軸端６３および６４は好ましくは、隣接する左右の帰還空気開口部６１および６２からそれぞれ離れる方向にかつパドル軸４８に向かって傾斜されることにより、空気を残骸集積ダクト２７の移送部４９中およびパドル４７の回転経路中へと移動または引き込むことを容易にし、そして、空気が残骸集積ダクト２７を通って上がり、ホッパー１９中へ戻るように移動させ、またそこに引き入れられた残骸があればそれとともに再循環させる。図６に図示する実施形態において、パドルロータ２９は、長軸方向に離された状態でパドル軸４８上に設けられかつパドル軸４８から半径方向外側に突出する４つのパドル支持部６７上に支持された、４つのパドル４７を備えている。各パドル支持部６７は概して、４つの支持アーム６８を備えた４肢の星形として形成されており、これら４つの支持アーム６８は、パドル軸４８に接続されかつパドル軸４８を囲むハブ６９から半径方向外側に突出している。パドル装着フランジ７０が、各支持アーム６８上に形成されかつこれを横切るように延びている。各パドル４７は１つのシートメタル片から形成されており、このシートメタル片は、長軸方向および半径方向に位置揃えされた４つの支持アーム６８のパドル装着フランジ７０にボルト接続されている。リップ７１が各パドル４７の外縁に沿って形成されており、リップ７１は、パドル４７がボルト接続された支持アーム６８および装着フランジ７０の端部から張り出している。
【００１６】
残骸集積アセンブリ１８は、左右の外側壁７３および７４、ならびにフロントおよびリアパネル７５および７６から形成されており、これらは、残骸集積ダクト２７の一部を閉じ囲み、箒部２８およびパドルロータ２９を閉じ囲んでいる。より具体的には、左右の外側壁７３および７４ならびにフロントおよびリアパネル７５および７６の下部が、残骸集積ダクト２７の吸入部４５を形成している。残骸集積ダクト２７の吸入部４５は、図示の実施形態においては残骸集積ダクト２７の移送部４９よりも幅広い。これは、回転箒部２８の方がパドルロータ２９よりも幅広なためである。フレキシブルなガードまたはカーテンウォールセグメント７８が、左右の外側壁７３および７４ならびにフロントおよびリアパネル７５および７６の下端に接続されており、そこから下方向に、おおよそ回転箒部２８の毛４１の先端までかこれを超える距離まで延びている。カーテンウォールセグメント７８は、回転箒部２８の回転する毛４１によって生成される屑を、残骸集積ダクト２７から逃がさないようにする。
【００１７】
回転箒部２８の上方において、残骸集積ダクト２７は移送部に沿って狭まっており、かつ左右のダクト側壁８１および８２によって規定される。左右のダクト側壁８１および８２は、左右の外側壁７３および７４から内側方向に離れている。左右の傾斜した遷移セグメント８３および８４は、回転箒部２８の外側端のちょうど上の左右の外側壁７３および７４から、左右のダクト側壁８１および８２に向かって内側方向かつ上方向に傾斜しており、回転箒部２８の端部によって拾われた残骸を、より狭いパドル４７の回転経路に向かって内側方向に集中させる。回転箒部２８の上方の左右のダクト側壁８１および８２ならびに左右の外側壁７３および７４は、回転箒部２８の上方のフロントおよびリアパネル７５および７６と組み合わさって、左右の帰還空気ダクト５７および５８を形成する。
【００１８】
図示の実施形態において、図５のように掃除機１の左側から見たとき回転箒部２８は時計回りに回転することにより、箒部の毛４１の回転経路の下部に沿って、毛４１は前方向に回転して地面２上の残骸を掻き、そして上方向そしてさらに後方に向かって遷移部４９へと残骸を移動させる。パドルロータ２９は同一方向（左側から見たとき時計回り）に回転することにより、パドル４７の回転経路の下部に沿ってパドル４７は前方向に回転し、箒部の毛４１によって上方向に持ち上げられた残骸を掻き、そしてパドル４７は残骸を残骸集積ダクト２７を通って上方向に持ち上げ、排出開口部３５から出し、ホッパー入口開口部３９を通ってホッパー１９中へ入れる。
【００１９】
図５に最もよく示されるように、フロントパネル７５は、回転箒部２８の毛４１の回転経路の前方上側の四分の一部分に比較的間隔が近い状態で、箒部の毛４１の回転経路の頂部から約１５度以内に延びる形状を有する。フロントパネル７５の前方下側部分も同様な形状を有し、パドルロータ２９のパドル４７の回転経路に比較的間隔が近い状態で延びている。フロントパネル７５が、箒部の毛４１の回転経路の前方上側の四分の一に沿って後方に傾斜していることにより、箒部の毛４１によって持ち上げられた残骸が累積してしまうようなデッドスペースを最小にし、その結果、残骸が箒部の毛４１によって効率的に持ち上げられてパドル４７の回転経路へと入るようにする。
【００２０】
可調節ブラケット８３が、リアパネル７６の屈曲部に設けられており、パドルロータ２９の回転経路上を下方向に向かって延びている。後方に屈曲してパドルロータ２９の後部周りに延びる際の、パドル４７の先端とリアパネル７６の屈曲部との隙間を最小にするために、可調節ブラケット８３の下端の垂直位置は調節可能である。可調節ブラケット８３は、パドル４７によって上方向に押された残骸および空気を、残骸集積ダクト２７のうちのパドルロータ２９を囲む部分内で再循環するのではなく、残骸集積ダクト２７の上側部分および排出開口部３５を通って導くように機能する。
【００２１】
回転箒部２８およびパドルロータ２９は、左の外側壁７３上またはその近くにおいて残骸集積ダクト２７に接続されたモータマウント８６上に設けられた、液圧モータ８５によってチェーン駆動される。液圧モータは、フロントパネル７５の前において、左の外側壁７３から内側に向かって延びる。液圧モータ８５は、エンジン１６によって動力供給される、液圧ポンプ（不図示）によって駆動される。左の外側壁７３を通って駆動モータシャフト８８が延びており、主駆動スプロケット８９がシャフト８８の遠位端に接続されている。パドル駆動チェーン９０が、主駆動スプロケット８９と、パドル軸４８のうち左の外側壁７３を通って延びる一部分上のパドル駆動スプロケット９１との間に接続されている。箒部駆動チェーン９２が、パドル軸４８上の移送スプロケット９３と、左の外側壁７３を通って延びる箒部軸４３の端部上の箒部駆動スプロケット９４との間に接続されている。スプロケット８９、９１および９３は、パドルロータ２９が回転箒部２８よりも速く回転ようなサイズにされることにより、パドル４７が残骸を、箒部２８運ばれるよりも、移送部４９から離れる方向により速く移動させるようにする。残骸を残骸集積ダクト２７を通りホッパー１９中へに移動させるための所望の速度でパドルロータ２９および回転箒部２８を駆動するためには、２５馬力（またはそれ未満でもよい）の定格を有するエンジン１６で十分な動力を供給することができる。
【００２２】
ホッパー１９は、下方向かつ後方に傾斜する床部１０１と、左右の外側壁１０２および１０３と、フロントパネルまたはセクション１０５に向かって前方向かつ下方向に傾斜する天板または屋根１０４とを有している。左右の外側壁１０２および１０３の端部と、屋根１０４と床部１０１との間に、ダンプ開口部１０７が形成されている。ホッパードアまたはダンプドア１０８が、ヒンジ１１０によって屋根１０４の後端に旋回可能に接続され、ドア開口部１０７を覆っている。
【００２３】
図７〜９に最もよく示されるように、ホッパードアラッチ／リフトアセンブリ１１５が、ホッパーの各側のドア開口部１０７の近くにおいて設けられている（左側のアセンブリ１１５のみを図示している）。各ホッパードアラッチ／リフトアセンブリ１１５について、ラッチピン１１７がダンプドア１０８の各側においてその下端から外側に突出している。ラッチ１１８が、下端の近くかつダンプ開口部１０７の近くにおいて、ホッパー側壁１０２および１０３の各々に旋回可能に設けられる。各ラッチ１１８は、液圧アクチュエータ１１９によって旋回されることにより、各ラッチピン１１７に対し係合および解除される。アクチュエータ１１９の第１の端部が、対応するラッチ１１８に旋回可能に接続され、また、第２の端部が、ホッパー１９の各側壁１０２または１０３に旋回可能に設けられたドアリフトリンク機構１２２に旋回可能に接続される。ドアリフトアーム１２４が、第１の端部においてはドアリフトリンク機構１２２に旋回可能に接続され、また反対側の端部においてはヒンジ１１０の近くでダンプドア１０８に旋回可能に接続されている。
【００２４】
ホッパー１９の左側に示すラッチ／リフトアセンブリ１１５について、ダンプドア１０８が閉じている場合、アクチュエータ１１９は伸ばされ、ラッチ１１８がラッチピン１１７に係合し、ドア１０８を閉じた状態に保持する。アクチュエータ１１９は初期的には退避されているため、アクチュエータ１１９の第１の端部は、ラッチ１１８をラッチピン１１７から離れる方向に旋回させることにより、ドア１０８がホッパー１９に対して動くことを可能にする。ラッチ１１８が旋回してラッチピン１１７との係合状態から外れた後、ラッチ１１８はストップピン１２６と係合することにより、ラッチ１１８がそれ以上旋回することを防ぐ。これにより、アクチュエータ１１９の第２の端部を第１の端部に向かって移動させ、ドアリフトリンク機構１２２を旋回させながらドアリフトアーム１２４を上方向に移動させることによりダンプドア１０８をホッパー１９から離れる方向に旋回させ（図９に示す）、その結果中身がドア開口部１０７から滑り出ることを可能にする。
【００２５】
ダンプドア１０８は、アクチュエータ１１９を伸ばすことにより閉じられる。アクチュエータ１１９を伸ばすと、まずドアリフトリンク機構１２２が旋回され、リフトアーム１２４およびドアを下方向に引っぱる。アクチュエータ１１９をさらに伸ばすと、ラッチ１１８が旋回されてラッチピン１１７周りに延びるようになり、ドア１０８を完全に閉じた位置まで引っぱり、ドアを閉じた状態に固定する。
【００２６】
ラッチ１１８を用いてドアを閉じた状態に保持する代わりに、各アクチュエータ１１９を各ホッパー側壁１０２または１０３上に設け、かつパイロット操作チェック弁（不図示）を各アクチュエータ１１９の基端に接続することにより、アクチュエータを伸長位置に選択的に保持し、ドアを固く閉じた状態に保持することが可能であることも考えられる。
【００２７】
図２および３に最もよく示されるように、左右のホッパー排出ダクト１３１および１３２は、ホッパー１９の左右の外側壁１０２および１０３とともに、左右の内側壁１３４および１３５によって形成される。２つの格子、スクリーンまたはフィルタ５５が、フロントおよびリアフィルタ支持部１３７および１３８上に支持されている。フロントおよびリアフィルタ支持部１３７および１３８は、ホッパー１９の左右の内側壁１３４および１３５の間に、ホッパー屋根１０４の下方において間隔を空けた状態で伸びている。フィルタ５５と屋根との間の空間は、左右のホッパー排出ダクト１３１および１３２に開口する頭上空間と呼ぶことができる。左右のホッパー排出ダクト１３１および１３２は、ホッパー１９の左右の帰還空気出口５３および５４へ延びる。ホッパー１９中へ吹き入れられた空気は、フィルタ５５を通り、頭上空間を通って、左右の帰還空気出口５３および５４を過ぎ左右のホッパー排出ダクト１３１および１３２中へ入り、そして残骸集積アセンブリ１８の左右の帰還空気ダクト５７および５８中に入る。帰還空気はそして、回転するパドル４７によって生み出される吸引力により、左右のダクト側壁８１および８２の左右の帰還空気開口部６１および６２を通って、残骸集積ダクト２７の移送部４９の中へと引き込まれる。
【００２８】
残骸集積アセンブリ１８は、フレーム３に対して調節可能に設けられることにより、掃除機１が移動する地面に対しての吸入開口部３１の間隔の調節を可能にする。吸入間隔アセンブリ（左側のそれのみを図示している）１４１が、フレーム３と残骸集積アセンブリ１８の残骸集積ダクト２７の吸入端３２との間に接続され、掃除機１が動かされる地面２に対して吸入開口部３１を選択された高さに調節することを可能にする。地面と残骸集積ダクト２７の底縁との間に最小の間隔を維持するために、左右の溝堀り防止輪１４３および１４４が残骸集積ダクト２７の下端の前部コーナーに設けられることにより、平坦でない地面を掃除機１が移動する際に残骸集積ダクトが地面に溝を掘ってしまうことを防ぐ。
【００２９】
本発明の所定の形態を本明細書において例示し説明してきたが、説明および図示した特定の形態または部材の構成に限定されるわけではないことが理解される。請求項の記載において、不定冠詞「ａ」もしくは「ａｎ」または「少なくとも１つ」の語句で要素を示したときは、言及されている要素の１つ以上を含む装置アセンブリを包含することが意図される。同様に、第１および第２の要素に言及するときも、請求項をそれら要素の２つのみを含むそのようなアセンブリに限定するのではなく、言及されている要素の２つ以上を包含することが意図される。ある要素について「単一の（ａ  ｓｉｎｇｌｅ）」または「１つだけ（ｏｎｌｙ  ｏｎｅ）」などの限定的な文言を用いたときのみが、特定した要素１つ、または他の同様に限定された数の要素に限定することを意図した文言である。
【図１】
2020141660.tif 000003
【図２】
2020141660.tif 000004
【図３】
2020141660.tif 000005
【図４】
2020141660.tif 000006
【図５】
2020141660.tif 000007
【図６】
2020141660.tif 000008
【図７】
2020141660.tif 000009
【図８】
2020141660.tif 000010
【図９】
2020141660.tif 000011
【図１０】
2020141660.tif 000012
【図１１】
2020141660.tif 000013
【外国語明細書】
2020141660000001.pdf